(57)【要約】【課題】情報記憶媒体として非接触ＩＣカードを用いた課金処理システムにおいて、非接触ＩＣカードの使用履歴を磁気ロール紙を使用することなく、利用者に提示することが可能な情報記憶媒体利用端末を提供すること。【解決手段】非接触ＩＣカードリーダ・ライタ３２によって非接触ＩＣカードから非接触ＩＣカード識別番号を読み出し、提示情報作成部３６が非接触ＩＣカード識別番号に基づいて提示情報を作成し、利用者に提示する際、ロイコリライトカード等の使用回数に制限があるカードを発行し当該提示情報を印字する。この提示情報が印字されたカードは所定回数以上の使用回数となったときに、ロイコリライトカード回収部３９によって回収されるため、ロール紙のように資源の無駄とならない。【選択図】  図３
2005004463.tif 000002
【特許請求の範囲】
【請求項１】
情報記憶媒体から情報を読み出す情報読み出し手段と、前記情報に基づいて提示情報を作成する提示情報作成手段とを備える情報記憶媒体利用端末において、
熱可逆性記録媒体を発行する熱可逆性記録媒体発行手段と、前記提示情報を前記熱可逆性記録媒体に印字する印字手段と、前記熱可逆性記録媒体の使用回数を前記熱可逆性記録媒体に印字する使用回数印字手段と、印字された前記使用回数を読み取る使用回数読取手段と、読み取られた前記使用回数が所定回数以上のときに、前記熱可逆性記録媒体を回収する熱可逆性記録媒体回収手段とを備えたことを特徴とする情報記憶媒体利用端末。
【請求項２】
前記熱可逆性記録媒体発行手段は前記情報記憶媒体が有する識別番号を記録した熱可逆性記録媒体を発行し、前記印字手段は前記情報記憶媒体の前記識別番号と前記熱可逆性記録媒体の前記識別番号が一致したときに、前記提示情報を前記熱可逆性記録媒体に印字することを特徴とする請求項１記載の情報記憶媒体利用端末。
【請求項３】
前記熱可逆性記録媒体回収手段によって前記熱可逆性記録媒体の回収が行われたときに、新しい熱可逆性記録媒体を発行することを特徴とする請求項１または２に記載の情報記憶媒体利用端末。
【請求項４】
前記使用回数印字手段は、バーコード印字装置であり、前記使用回数読取手段はスキャナであることを特徴とする請求項１〜３のいずれか１項に記載の情報記憶媒体利用端末。
【発明の詳細な説明】
【０００１】
【発明の属する技術分野】
本発明は、情報記憶媒体利用端末に関し、特に、非接触ＩＣカードに係る情報を提示する情報記憶媒体利用端末に関する。
【０００２】
【従来の技術】
近年、電子マネーを利用するための情報記憶媒体として非接触ＩＣカードが用いられている。非接触ＩＣカードはメモリを備えているため、メモリに情報を記憶させることによって、何度でも使用が可能である。例えば、プリペイド電子マネーとして、コンビニエンスストアでの買い物の支払いや、時間貸し駐車場やガソリンスタンドでの支払い、鉄道等の交通機関での支払いができる。この非接触ＩＣカードを使用した支払い時には、利用料金および残額等が印刷された紙媒体のレシート等を受け取る。
【０００３】
例えば、非接触ＩＣカードを用いた鉄道利用課金処理システムでは、利用者によって料金前払いされた利用可能金額を非接触ＩＣカードに記憶させ、その非接触ＩＣカードを自動改札機等の駅務機器で使用することによって利用料金の徴収処理を行っている。非接触ＩＣカードに記憶された利用可能金額が不足する場合には、利用者はＩＣカード積増機にて利用可能金額の積み増し処理を行って、その非接触ＩＣカードを繰り返し使用する。利用月日、乗車駅、降車駅、前引金額（初乗運賃）等の使用履歴の一覧データは、使用時に利用した駅務機器の表示部で提示され、専用の印刷機や券売機等の駅務機器で紙媒体に印刷され受け取っている。このため、使用履歴の一覧データをロール紙等に印字するために紙の節約という観点から省資源化に反し、不経済である。
【０００４】
そこで、特許文献１では、記憶媒体として非接触ＩＣカードを用いた鉄道利用料金管理システムにおいて、非接触ＩＣカードの使用履歴の一覧データを簡易に閲覧または入手することができるシステムを提供している（特許文献１の図１参照）。
【０００５】
【特許文献１】
特開２００２−１１７４２１号公報（第１図）
【０００６】
【発明が解決しようとする課題】
特許文献１の鉄道利用料金管理システムでは、通信回線を介して中央データ処理装置に接続された、家庭等にあるパーソナルコンピュータ等の端末の画面において見ることができるが、駅で非接触ＩＣカードを使用する前に残額等の非接触ＩＣカードに格納された情報を確認することができない。そこで、非接触ＩＣカードをロイコ型のリライトカードにし、印字することが考えられるが、ロイコ型リライトカードへの画像形成（印字）は、サーマルヘッドなどによる高温処理を行うので、リライト記録表示層にダメージを与え、履歴の印字のように多数回の印字に耐えることができない。これは現在のロイコ化合物と顕減色剤を塗布してなるリライト記録表示層を設けたロイコ型リライトカードでは、印字の繰り返し回数の限度が２００回程度となっているためである。
【０００７】
上記仕様の印字方法を半永久的に使用可能な非接触ＩＣカードへ採用すると、非接触ＩＣカードのメモリへの情報の書き込みが可能である一方、印字面が印字不可能になってしまい、非接触ＩＣカードの使用期間が限られてしまう。従って、半永久的に使用可能な非接触ＩＣカードへの履歴印字のように印字の繰り返し回数が多く要求される場合には、非接触ＩＣカードへの履歴印字は採用できないものとなっている。このため、現状では従来のように履歴印字等に磁気ロール紙を用いた券売機や精算機が使用され、磁気ロール紙の使用が減らないという問題は解決されない。
【０００８】
本発明の目的は、上記の問題に鑑み、情報記憶媒体として非接触ＩＣカードを用いた課金処理システムにおいて、非接触ＩＣカードの使用履歴を磁気ロー紙を使用することなく、利用者に提示することが可能な情報記憶媒体利用端末を提供することにある。
【０００９】
【課題を解決するための手段および作用】
本発明に係るは、上記課題を解決するために、次のように構成される。
【００１０】
本発明に係る第１の情報記憶媒体利用端末（請求項１に対応）は、非接触ＩＣカード等の情報記憶媒体から情報を読み出す情報読み出し部と、情報に基づいて利用者に提示する提示情報を作成する提示情報作成部とを備える情報記憶媒体利用端末であって、ロイコリライトカード等の熱可逆性記録媒体を発行する熱可逆性記録媒体発行部と、提示情報を熱可逆性記録媒体に印字する印字部と、熱可逆性記録媒体の使用回数を当該熱可逆性記録媒体に印字する使用回数印字部と、印字された使用回数を読み取る使用回数読取部と、読み取られた使用回数が所定回数以上のときに、熱可逆性記録媒体を回収する熱可逆性記録媒体回収部とを備えたことを特徴とする。
【００１１】
第１の情報記憶媒体利用端末によれば、非接触ＩＣカードリーダ・ライタ等の情報読み出し手段によって情報記憶媒体から識別番号や利用履歴等の情報を読み出し、識別番号や利用履歴等の情報に基づいて提示情報を作成し、利用者に提示する際、ロイコリライトカード等の使用回数に制限があるカードに当該提示情報を印字する。提示情報が印字されたカードは所定回数以上の使用回数となったときに、回収されるため、ロール紙のように資源の無駄とならない。
【００１２】
本発明に係る第２の情報記憶媒体利用端末（請求項２に対応）は、上記構成において、好ましくは、熱可逆性記録媒体発行部は情報記憶媒体が有する識別番号を記録した熱可逆性記録媒体を発行し、印字部は情報記憶媒体の識別番号と熱可逆性記録媒体の識別番号が一致したときに、提示情報を当該熱可逆性記録媒体に印字することを特徴とする。
【００１３】
第２の情報記憶媒体利用端末によれば、情報記憶媒体が有する識別番号と熱可逆性記録媒体に記録された識別番号とが一致したときにのみ、提示情報を当該熱可逆性記録媒体に印字するので、情報記憶媒体に連結された熱可逆性記録媒体として使用でき、提示情報の混乱がない。
【００１４】
本発明に係る第３の情報記憶媒体利用端末（請求項３に対応）は、上記構成において、好ましくは、熱可逆性記録媒体回収部によって熱可逆性記録媒体の回収が行われたときに、新しい熱可逆性記録媒体を発行することで特徴付けられる。
【００１５】
本発明に係る第４の情報記憶媒体利用端末（請求項４に対応）は、上記構成において、好ましくは、使用回数印字部は、バーコード印字装置であり、使用回数読取部スキャナであることで特徴付けられる。
【００１６】
【発明の実施の形態】
実施形態で説明される構成等については本発明が理解・実施できる程度に概略的に示したものにすぎない。従って本発明は、以下に説明される実施形態に限定されるものではなく、特許請求の範囲に示される技術的思想の範囲を逸脱しない限り様々な形態に変更することができる。
【００１７】
図１は、本発明に係る情報記憶媒体利用端末を含む課金処理システムである鉄道利用料金管理システム全体の概略構成を示すブロック図である。図１に示すように、この鉄道利用料金管理システムは、各駅（Ａ駅、Ｂ駅）の駅務機器を制御・管理する中央データ処理装置１０と、この中央データ処理装置１０を中心として各駅（Ａ駅、Ｂ駅）ごとに設置された駅データ処理装置２０Ａ，２０Ｂと、中央データ処理装置１０によって管理され、非接触ＩＣカードの利用状況に関するデータが蓄積されるカード使用履歴データベース１１より構成される。
【００１８】
さらに各駅（Ａ駅、Ｂ駅）には、それぞれ駅務機器として、非接触ＩＣカードの処理を行う自動改札機２１Ａ，２１Ｂ、自動券売機２２Ａ，２２Ｂ、自動精算機２３Ａ，２３Ｂ、ＩＣカード積増機２４Ａ，２４Ｂ等が設置され、それぞれの機器で処理されたデータがそれぞれ駅データ処理装置２０Ａ，２０Ｂに送られる。ここで、自動改札機２１Ａ，２１Ｂ、自動券売機２２Ａ，２２Ｂ、自動精算機２３Ａ，２３Ｂ、ＩＣカード積増機２４Ａ，２４Ｂ等が本発明に係る情報記憶媒体利用端末として機能する。以下適宜、駅データ処理装置２０を駅データ処理装置２０Ａ，２０Ｂの代表するものとして、自動改札機２１を自動改札機２１Ａ，２１Ｂの代表するものとして、自動券売機２２を自動券売機２２Ａ，２２Ｂの代表するものとして、自動精算機２３を自動精算機２３Ａ，２３Ｂの代表するものとして、ＩＣカード積増機２４をＩＣカード積増機２４Ａ，２４Ｂの代表するものとして用いる。
【００１９】
自動改札機２１は、利用者の改札通過時に非接触ＩＣカード内に記憶された利用可能金額を読み出し、これから運賃を差し引いた残額を新たに非接触ＩＣカードに書き込むとともに、この処理によって得られたデータを駅データ処理装置２０に送る。自動券売機２２は、切符購入時に非接触ＩＣカード内に記憶された利用可能金額を読み出し、これから切符代金を差し引いた残額を新たに非接触ＩＣカードに書き込むとともに、この処理によって得られたデータを駅データ処理装置２０に送る。自動精算機２３は、乗越し精算時に非接触ＩＣカード内に記憶された利用可能金額を読み出し、これから乗越し運賃を差し引いた残額を新たに非接触ＩＣカードに書き込むとともに、この処理によって得られたデータを駅データ処理装置２０に送る。ＩＣカード積増機２４は、非接触ＩＣカードの利用可能金額の積み増し時に、非接触ＩＣカード内に記憶された利用可能金額を読み出し、これに積み増し額を加えた金額を新たにＩＣカードに書き込むとともに、この処理によって得られたデータを駅データ処理装置２０に送る。
【００２０】
各駅の駅データ処理装置２０に送られたデータは中央データ処理装置１０に集められ、この中央データ処理装置１０によって各機器からのデータが集中管理される。このデータは中央データ処理装置１０によってカード使用履歴データベース１１に登録され、非接触ＩＣカードの利用に際して更新される。
【００２１】
鉄道利用料金管理システムで使用される非接触ＩＣカードは、データを記憶するメモリ、給電やデータ通信のための送受信部およびこれらを制御する制御部を有する。メモリには、利用者の個人情報（例えば、氏名、生年月日、性別、住所、電話番号等）、非接触ＩＣカード識別番号などが予め記憶され、また、利用者のカード使用に関する情報（利用可能金額、有効期限、セキュリティ情報等）が使用状況に応じて記憶され、非接触ＩＣカードの使用時に更新される。これらメモリに記憶されたデータは、無線信号等によって外部に発信され、非接触ＩＣカードと駅や列車に設けられた各種駅務機器との間でデータの更新が行われる。
【００２２】
図２は、本発明に係る情報記憶媒体利用端末の一例である自動券売機２２の全体斜視図である。自動券売機２２は、接客側に案内表示部２５、表示操作部２６、紙幣挿入口２７Ａ、返却紙幣受取口２７Ｂ、乗車券受取口２８、硬貨投入口２９Ａ、硬貨受け皿２９Ｂ、カード挿入受取口３０Ａを備えている。案内表示部２５には、表示灯、スピーカ、マイク等が設けられている。表示操作部２６は、タッチパネルで構成されている。自動券売機２２の内部には制御装置３０が備えられいる。
【００２３】
カード挿入受取口３０Ａへは、非接触ＩＣカードとロイコリライトカードが挿入できる。自動券売機２２Ａの内部には非接触ＩＣカード保留部があり、非接触ＩＣカード挿入後にロイコリライトカードを挿入する場合に使用される。なお、非接触ＩＣカードは挿入せずに、機器外部に露出した非接触ＩＣカードリーダ・ライタによってデータ送受をするようにしてもよい。
【００２４】
図３は、本発明に係る情報記憶媒体利用端末における制御装置３０の構成ブロック図である。鉄道利用料金管理システムでは、情報記憶媒体利用端末として自動改札機２１、自動券売機２２自動精算機２３、ＩＣカード積増機２４等が使用される。情報記憶媒体利用端末の制御装置３０は、ＣＰＵ３１と非接触ＩＣカードリーダ・ライタ３２とロイコリライトカード発行部３３と使用回数印字部３４と使用回数読取部３５と通信部３７を有する提示情報作成部３６と提示情報印字部３８とロイコリライトカード回収部３９とから構成される。ＣＰＵ３１は制御装置３０全体のデータ処理を行う。
【００２５】
非接触ＩＣカードリーダ・ライタ３２は、カード挿入受取口３０Ａから挿入された非接触ＩＣカードに対して読込みと書き込みを行う。ロイコリライトカード発行部３３は、利用月日、乗車駅、降車駅、前引金額（初乗運賃）等の使用履歴の一覧データ（提示情報）が印字されたロイコリライトカードを発行する。使用回数印字部３４は、ロイコリライトカードの使用回数を当該ロイコリライトカードへ印字する。使用回数読取部３５は、ロイコリライトカードに印字されている使用回数を読み取る。提示情報作成部３６は、非接触ＩＣカードリーダ・ライタ３２で読み取られた非接触ＩＣカードの非接触ＩＣカード識別番号に基づいて、通信部３７を介して中央データ処理装置１０へアクセスし、カード使用履歴データベース１１からの情報に基づいて提示情報を作成する。提示情報印字部３８は、ロイコリライトカード発行部３３で発行されるロイコリライトカードまたはカード挿入受取口３０Ａから挿入されたロイコリライトカードに対して提示情報を印字する。ロイコリライトカード回収部３９は、使用回数読取部３５によって読み取られたロイコリライトカードの使用回数が所定回数以上と判断したときに、当該ロイコリライトカードを回収する。
【００２６】
図４は、本発明に係る情報記憶媒体利用端末の利用処理フロー図である。非接触ＩＣカードをカード挿入受取口３０Ａへ挿入する（ステップＳ１０１）。ロイコリライトカードがカード挿入受取口３０Ａへ挿入されると（ステップＳ１０２）、使用回数読取部３５によってロイコリライトカードに印字された印字回数（使用回数）が読み取られる（ステップＳ１０３）。読み取られた印字回数が所定の印字可能回数よりも大きいか否かが判断される（ステップＳ１０４）。読み取られた印字回数が所定の印字可能回数よりも小さいときには、ロイコリライトカードの印字面の印字が消去され（ステップＳ１０５）、後述する非接触ＩＣカードの識別番号に基づいて作成される提示情報が提示情報印字部３８によって新たに印字される（ステップＳ１０６）。印字されたロイコリライトカードはカード挿入受取口３０Ａから返却される（ステップＳ１０７）。一方、読み取られた印字回数が所定の印字可能回数よりも大きいときには、当該ロイコリライトカードはロイコリライトカード回収部３９によって回収され（ステップＳ１０８）、ロイコリライトカード発行部３３によって新しいロイコリライトカードが発行される（ステップＳ１０９）。
【００２７】
図５は、本発明に係る情報記憶媒体利用端末に係る提示情報印字部によって印字される提示情報の作成フロー図である。図４で示した処理と平行して処理される▲１▼〜▲２▼の間の処理フロー図である。非接触ＩＣカードがカード挿入受取口３０Ａに挿入されると（ステップＳ１０１）、非接触ＩＣカードリーダ・ライタ３２によって非接触ＩＣカードの非接触ＩＣカード識別番号が読み取られる（ステップＳ２０１）。情報記憶媒体利用端末の提示情報作成部３６が通信部３７を介して中央データ処理装置１０へアクセスする（ステップＳ２０２）。読み取られた非接触ＩＣカード識別番号に基づいてカード使用履歴データベース１１から提示情報を作成する（ステップＳ２０３）。作成された提示情報は、図４のステップＳ１０６で説明したように、提示情報印字部３８によってロイコリライトカードに印字される。
【００２８】
図６は、本発明に係る情報記憶媒体利用端末が発行するロイコリライトカードを示す図である。ロイコリライトカードには利用明細として、利用月日、利用種別、乗車駅、降車駅、前引金額（初乗運賃）等の使用履歴および利用日時、利用駅と、使用回数がバーコードで印字される（図中Ｂ）。その他、非接触ＩＣカードの識別番号を記載してもよい。このロイコリライトカードはロイコリライトカード発行部３３によって発行される。発行時には、提示情報作成部３６によって作成された提示情報が提示情報印字部３８によって印字される。提示情報は、情報記憶媒体利用端末に表示される情報と同じ情報または表示される情報よりも多くの情報がある。具体的には、上述したように、利用明細としての利用月日、利用種別、乗車駅、降車駅、前引金額（初乗運賃）等の使用履歴および利用日時、利用駅がある。
【００２９】
使用回数印字部３４は、ロイコリライトカードの使用回数をバーコードで印字する。使用回数読取部３５は、バーコードで印字された使用回数を読み取るスキャナで構成される。使用回数読取部３５読み取られた使用回数と、ロイコリライトカードの使用可能回数が比較され、使用回数が使用可能回数よりも大きい場合には当該ロイコリライトカードが回収される。ここで、使用回数をバーコードで印字するとしたが、バーコードによる使用回数の印字ではなく、数字やその他の図形や記号によって印字するようにしてもよい。また、使用回数読取部３５は、使用回数印字部３４によって印字された使用回数を読み取れるように構成する。
【００３０】
図７は、本発明に係る情報記憶媒体利用端末の他の実施例における制御装置３０’の構成ブロック図である。図３と同じ機能を有するブロックには同一を符号を付し、適宜説明を省略する。ロイコリライトカード発行部３３は非接触ＩＣカード識別番号印字部４０を備える。制御装置３０’は非接触ＩＣカード識別番号読取部４１とロイコリライトカードに印字された非接触ＩＣカード識別番号読取部４２とカード一致判断部４３を備える。ロイコリライトカードの発行時に、ロイコリライトカード発行部３３の非接触ＩＣカード識別番号印字部４０によって、挿入または認識されている非接触ＩＣカードの識別番号がロイコリライトカードに印字される。非接触ＩＣカード識別番号読取部４１が読み込んだ非接触ＩＣカード識別番号とロイコリライトカードに印字された非接触ＩＣカード識別番号読取部４２が読み込んだ非接触ＩＣカード識別番号が一致しているか否かがカード一致判断部４３によって判断され、一致している場合には、提示情報印字部３８によってロイコリライトカードに提示情報が印字される。
【００３１】
図８は、本発明の他の実施例における情報記憶媒体利用端末の利用処理フロー図である。非接触ＩＣカードをカード挿入受取口３０Ａへ挿入する（ステップＳ２０１）。非接触ＩＣカード識別番号読取部４１によって非接触ＩＣカード識別番号が読み込まれる（ステップＳ２０２）。ロイコリライトカードがカード挿入受取口３０Ａへ挿入され（ステップＳ２０３）、ロイコリライトカードに印字された非接触ＩＣカード識別番号が読み込まれる（ステップＳ２０４）。非接触ＩＣカード識別番号読取部４１が読み込んだ非接触ＩＣカード識別番号とロイコリライトカードに印字された非接触ＩＣカード識別番号読取部４２が読み込んだ非接触ＩＣカード識別番号が一致しているか否かがカード一致判断部４３によって判断される（ステップＳ２０５）。一致しなかった場合には、ロイコリライトカードおよび非接触ＩＣカードが返却される。
【００３２】
一致している場合には、使用回数読取部３５によってロイコリライトカードに印字された印字回数（使用回数）が読み取られる（ステップＳ２０６）。読み取られた印字回数が所定の印字可能回数よりも大きいか否かが判断される（ステップＳ２０７）。読み取られた印字回数が所定の印字可能回数よりも小さいときには、ロイコリライトカードの印字面の印字が消去され（ステップＳ２０８）、後述する非接触ＩＣカードの識別番号に基づいて作成される提示情報が提示情報印字部３８によって新たに印字される（ステップＳ２０９）。印字されたロイコリライトカードはカード挿入受取口３０Ａから返却される（ステップＳ２１０）。一方、読み取られた印字回数が所定の印字可能回数よりも大きいときには、当該ロイコリライトカードはロイコリライトカード回収部３９によって回収され（ステップＳ２１１）、ロイコリライトカード発行部３３によって新しいロイコリライトカードが発行される（ステップＳ２１２）。
【００３３】
図８中の▲１▼〜▲２▼間の処理は、図８の処理と平行して処理される処理を示し、前述の図５と同様の処理を行う。なお、上記実施形態では中央処理装置にアクセスして、カード使用履歴データベースから提示情報を作成するようにしたが、非接触ＩＣカードのメモリに格納されている情報に基づいて提示情報を作成するようにしてもよい。
【００３４】
【発明の効果】
以上の説明で明らかなように本発明によれば、次の効果を奏する。
【００３５】
本発明に係る情報記憶媒体利用端末によれば、非接触ＩＣカードリーダ・ライタ等の情報読み出し手段によって情報記憶媒体から識別番号や利用履歴等の情報を読み出し、識別番号や利用履歴等の情報に基づいて提示情報を作成し、利用者に提示する際、ロイコリライトカード等の使用回数に制限があるカードに当該提示情報を印字する。この提示情報が印字されたカードは所定回数以上の使用回数となったときに、回収されるため、ロール紙のように資源の無駄とならない。また、本発明に係る情報記憶媒体利用端末によれば、情報記憶媒体が有する識別番号と熱可逆性記録媒体に記録された識別番号とが一致したときにのみ、提示情報を印字するので、情報記憶媒体に連結された熱可逆性記録媒体として使用でき、提示情報の混乱がない。
【図面の簡単な説明】
【図１】本発明に係る情報記憶媒体利用端末を含む課金処理システムである鉄道利用料金管理システム全体の概略構成を示すブロック図である。
【図２】本発明に係る情報記憶媒体利用端末の一例である自動券売機の全体斜視図である。
【図３】本発明に係る情報記憶媒体利用端末における制御装置の構成ブロック図である。
【図４】本発明に係る情報記憶媒体利用端末の利用処理フロー図である。
【図５】本発明に係る情報記憶媒体利用端末に係る提示情報印字部によって印字される提示情報の作成フロー図である。
【図６】本発明に係る情報記憶媒体利用端末が発行するロイコリライトカードを示す図である。
【図７】本発明に係る情報記憶媒体利用端末の他の実施例における制御装置の構成ブロック図である。
【図８】他の実施例における情報記憶媒体利用端末の利用処理フロー図である。
【符号の説明】
１０              中央データ処理装置
１１              カード使用履歴データベース
２０              駅データ処理装置
２１              自動改札機
２２              自動券売機
２３              自動精算機
２４              カード積増機
３０              制御装置
３０Ａ            カード挿入受取口
３２              非接触ＩＣカードリーダ・ライタ
３３              ロイコリライトカード発行部
３４              使用回数印字部
３５              使用回数読取部
３６              提示情報作成部
３７              通信部
３８              提示情報印字部
３９              ロイコリライトカード回収部
４０              カード識別番号印字部
４３              カード一致判断部
【図１】
2005004463.tif 000003
【図２】
2005004463.tif 000004
【図３】
2005004463.tif 000005
【図４】
2005004463.tif 000006
【図５】
2005004463.tif 000007
【図６】
2005004463.tif 000008
【図７】
2005004463.tif 000009
【図８】
2005004463.tif 000010